(57)【要約】【課題】連続撮影によって得られた一連の画像の中から、簡単かつ迅速にベストショットを探し出せるようにする。【解決手段】本発明の一態様は、連続撮影動作で得られた複数の画像を表示装置に同時に表示可能なデジタルカメラにおいて、十字キー２８の手動操作に応答して、拡大表示の実行を指示し、上記拡大表示指示がなされた場合に、上記も似た１６に表示されている上記複数の同じ所定の領域を拡大表示させるデジタルカメラである。【選択図】      図２
2006295242.tif 000002
【特許請求の範囲】
【請求項１】
連続撮影動作で得られた複数の画像を表示装置に同時に表示可能なデジタルカメラにおいて、
手動操作部材の手動操作に応答して、拡大表示の実行を指示する拡大表示指示手段と、
上記拡大表示指示手段によって拡大表示を指示された場合に、上記表示装置に表示されている上記複数の同じ所定の領域を拡大表示させる表示制御手段と、
を具備していることを特徴とするデジタルカメラ。
【請求項２】
上記拡大表示領域は、連続撮影動作の合焦ポイントを含む領域であることを特徴とする請求項１に記載のデジタルカメラ。
【請求項３】
上記拡大表示領域は、手動操作によって指定されたポイントを含む領域であることを特徴とする請求項１に記載のデジタルカメラ。
【請求項４】
連続撮影動作で得られた複数の画像を表示装置に同時に表示可能なデジタルカメラにおいて、
手動操作部材の手動操作に応答して、拡大表示の実行を指示する拡大表示指示手段と、
上記拡大表示指示手段によって拡大表示を指示された場合に、上記表示装置に表示されている複数の画像の各画像の合焦点ポイントを拡大中心位置として拡大表示させる表示制御手段と、
を具備していることを特徴とするデジタルカメラ。
【発明の詳細な説明】
【技術分野】
【０００１】
本発明は、デジタルカメラに関する。
【背景技術】
【０００２】
従来、一眼レフレックスタイプのカメラ（以下、一眼レフカメラと略記する）では、１コマにつき内蔵するクイックリターンミラーを１回だけ光路退避位置へ移動させて撮影を行っている。また、１回のレリーズ操作に対して、クイックリターンミラーを上げた状態を保持しつつ複数コマの連続撮影を行うカメラが知られている。そして、この種の技術について、例えば特許文献１では、光学系の入射光を撮像素子側に保持しつつ、１回のミラー駆動で複数コマの高速撮影を可能とするカメラが開示されている。また、今日では、所謂連写モード時に８コマ／秒程度の連写を実現するカメラも実用化されている。
【０００３】
ところで、連続撮影後には一連の画像の中から簡単かつ迅速にベストショットを探し出せることが重要である。撮影した画像の中からベストショットを探し出す方法としては画像選択用の釦を操作して１枚ずつ液晶モニタ上に撮影した画像を表示させながら確認するのが一般的である。しかし、このような方法は連写枚数が多いと非常に煩わしい。
【０００４】
そこで、複数の縮小画像を１度に表示する方法（マルチインデックス表示）、最初の選択操作では連写モードの代表画像（１枚又は所定枚）だけを表示する方法、連写画像を１つの動画像として表示する方法等、連写画像の表示に関する工夫については種々の提案がなされている。
【特許文献１】特開平８−２７８５４１号公報
【発明の開示】
【発明が解決しようとする課題】
【０００５】
しかしながら、マルチインデックス表示の場合、画像が縮小されるために細部を確認し難い。代表画像を表示する方法は、連写画像のグループを探すことには適しているが、ベストショットを探すためには１枚ずつの確認が必要であり、効率的ではない。動画像として表示する方法は、連写速度が速く画像の量が多い場合には時間がかかり煩わしい。
【０００６】
本発明の目的とするところは、連続撮影によって得られた一連の画像の中から、簡単かつ迅速にベストショットを探し出せるようにすることにある。
【課題を解決するための手段】
【０００７】
上記目的を達成するために、本発明の第１の態様では、連続撮影動作で得られた複数の画像を表示装置に同時に表示可能なデジタルカメラにおいて、手動操作部材の手動操作に応答して、拡大表示の実行を指示する拡大表示指示手段と、上記拡大表示指示手段によって拡大表示を指示された場合に、上記表示装置に表示されている上記複数の同じ所定の領域を拡大表示させる表示制御手段と、を具備していることを特徴とするデジタルカメラが提供される。
【０００８】
本発明の第２の態様では、上記第１の態様において、上記拡大表示領域は、連続撮影動作の合焦ポイントを含む領域であることを特徴とするデジタルカメラが提供される。
【０００９】
本発明の第３の態様では、上記第１の態様において、上記拡大表示領域は、手動操作によって指定されたポイントを含む領域であることを特徴とするデジタルカメラが提供される。
【００１０】
本発明の第４の態様では、連続撮影動作で得られた複数の画像を表示装置に同時に表示可能なデジタルカメラにおいて、手動操作部材の手動操作に応答して、拡大表示の実行を指示する拡大表示指示手段と、上記拡大表示指示手段によって拡大表示を指示された場合に、上記表示装置に表示されている複数の画像の各画像の合焦点ポイントを拡大中心位置として拡大表示させる表示制御手段と、を具備していることを特徴とするデジタルカメラが提供される。
【発明の効果】
【００１１】
本発明によれば、連続撮影によって得られた一連の画像の中から、簡単かつ迅速にベストショットを探し出すことが可能なデジタルカメラを提供することができる。
【発明を実施するための最良の形態】
【００１２】
(第１の実施の形態)
図１は本発明の第１の実施の形態に係るデジタルカメラの構成図である。より詳細には図１（ａ）は当該デジタルカメラの正面図であり、図１（ｂ）は当該デジタルカメラの側面図である。また、図２は、図１のデジタルカメラを背面側より見た外観斜視図である。
【００１３】
これらの図１（ａ），（ｂ）に示されるように、このデジタルカメラ１は、ボディユニット２と該ボディユニット２に装着可能なレンズユニット３とで構成されている。
【００１４】
即ち、レンズユニット３は、複数のレンズより成るもので、ボディユニット２内の後述する撮像素子１４に撮影光束を導くための撮影レンズ４を有している。
【００１５】
一方、ボディユニット２内には、該ボディユニット２内の各部に電源を供給するバッテリ１０が設けられている。上記撮影レンズ４を通過した撮影光束の光路上には当該撮影光束を反射するクイックリターンミラー（反射ミラー）５が配設されており、当該クイックリターンミラー５の反射光の光路上にはファインダスクリーン６、ペンタプリズム７、接眼光学系８が配設されている。そして、この接眼光学系８の近傍には測光ユニット９が設けられている。更に、クイックリターンミラー５の後方には測距用ミラー１１が設けられており、当該測距用ミラー１１での反射光の光路上には撮影画面内の複数のポイントについて自動測距を行うためのマルチ測距ユニット１２が設けられている。クイックリターンミラー５の中央部はハーフミラーになっており該クイックリターンミラー５がダウン（図示の位置；第１の位置）した際に一部の光束が透過する。クイックリターンミラー５のアップ時（第２の位置）には、測距用ミラー１１は折り畳まれるようになっている。さらに、クイックリターンミラー５の後方で、撮影光束の光路上には、フォーカルプレーンシャッタ１３と、光学系を通過した被写体像を光電変換するためのＣＣＤ等の撮像素子（イメージャ）１４と、この撮像素子１４等が配設されたメイン回路基板１５と、撮像素子１４により取り込まれた被写体像を表示するモニタ１６とが設けられている。
【００１６】
そして、図２に示されるように、デジタルカメラ１のボディユニット２の上面部には、表示部２０とシャッタ釦２１、サブダイヤル２２、撮影モードダイヤル２３、メインスイッチ２４、撮影枚数釦２７が設けられている。また、ボディユニット２の背面部には、ファインダ接眼部２６とモニタ１６、メインダイヤル（拡大ダイヤル）２５、十字キー２８、確定ボタン２９が設けられている。より詳細には、表示部２０は、カメラの撮影情報等を表示するためのものである。シャッタ釦２１は、カメラの撮影操作を行うためのもので、２段式のレリーズスイッチで構成されている。メインダイヤル２５及びサブダイヤル２２は、各種のモードや数値の選択を行うためのダイヤルである。メインスイッチ２４は、本デジタルカメラの電源のオン／オフを切り替える為のスイッチである。撮影モードダイヤル２３は、露出制御方式の切換、例えばプログラムＡＥや絞り優先ＡＥ、シャッタスピード優先ＡＥ、マニュアル等の露出制御方式を選択するためのダイヤルである。そして、撮影枚数釦２７は、連続撮影を行う際のコマ数を設定するための釦である。すなわち、例えば、初期状態では１コマ撮影、撮影枚数釦２７が１回押下されると５コマ撮影、２回押下されると初期状態に復帰の如くコマ数が設定される。十字キー２８は撮影条件の設定や撮影済画像を再生する際の指示部材である。そして、確定ボタン２９は各種設定を確定するために操作される部材である。
【００１７】
図３は、本発明の第１の実施の形態に於けるデジタルカメラの電気系のシステム構成を示すブロック図である。上述したように、この実施の形態に係るデジタルカメラ１は、ボディユニット２とレンズユニット３とにより構成されている。以下、各部につき詳述する。
【００１８】
即ち、レンズユニット２は、レンズモータユニット３０と、レンズ駆動回路３１と、絞りモータユニット３２と、絞り駆動回路３３と、レンズ内データ用メモリ３４とを有して構成されている。上記レンズモータユニット３０は、上述した撮影レンズ４を光軸方向に移動させるためのユニットである。このレンズモータユニット３０は、ボディユニット２内の後述する制御回路４０からレンズ駆動回路３１を介して、光軸方向の動きが制御される。絞りモータユニット３２は、制御回路４０から絞り駆動回路３３を介して制御されるものであって、撮像素子１４に入射される光束を制限する絞りを駆動する。また、レンズ内データ用メモリ３４は、撮影レンズ４のＦ値や焦点距離等、演算時に使用される各種データが記憶されるものである。これらのレンズユニット３内の各部は、ボディユニット２内の制御回路４０からの指令に従って制御される。
【００１９】
一方、ボディユニット２は、本デジタルカメラ１内の各部の制御を司る制御回路４０を有している。この制御回路４０には、撮像素子（イメージャ）１４とミラー駆動回路４１、シャッタ駆動回路４３、マルチ測距回路４５、測光回路４６、メモリ４７、記憶回路４８、スイッチ入力部５０、表示駆動回路５１、画像表示回路５３、ストロボ駆動回路５７、上述したレンズユニット３内のレンズ駆動回路３１、絞り駆動回路３３及びレンズ内データ用メモリ３４が接続されている。撮像素子１４は、多チャンネルで高速読み出しが可能なイメージャで構成されている。ミラー駆動回路４１はモータユニット４２を駆動するためのもので、当該モータユニット４２が駆動されることによってクイックリターンミラー５がアップ位置及びダウン位置へ回転移動される。シャッタ駆動回路４３は、フォーカルプレーンシャッタ１３を構成するシャッタユニット４４を駆動するための回路である。シャッタユニット４４が駆動されることにより、フォーカルプレーンシャッタ１３の開閉、即ちシャッタスピードが制御される。マルチ測距回路４５は、マルチ測距ユニット１２を駆動するためのものであり、このマルチ測距ユニット１２が駆動されることで本デジタルカメラ１から図示されない被写体までの距離が測定される。測光回路４６は、測光ユニット９を駆動するための回路である。この測光回路４６により、上記ペンタプリズム７からの光束に基づいて測光処理が行われる。メモリ４７はカメラ制御に必要な所定の制御パラメータや、記録メディアへ書き込み前の撮影データを一時的に記憶するものであり、制御回路４０からアクセス可能に設けられている。記録回路４８は、撮像素子１４で撮像した画像をデータとして記録メディア４９に記録しておくための回路である。スイッチ入力部５０は、シャッタ釦２１やサブダイヤル２２、撮影モードダイヤル２３、メインスイッチ２４、撮影枚数釦２７等を有している。表示駆動回路５１は、カメラの上面部に設けられている表示部２０を含む表示ユニット５２を駆動するための回路である。画像表示回路５３は、カメラ背面部に設けられたモニタ１６を含むモニタユニット５４を駆動するための回路である。ストロボ駆動回路５７はストロボ発光部５８を駆動制御するための回路である。
【００２０】
以下、図４のタイミングチャートを参照して、本発明の第１の実施の形態に係るデジタルカメラによる基本的な撮像動作について詳細に説明する。尚、図中、ｔAはセカンドレリーズからのタイムラグを示しており、ｔBはファインダの像消失時間を示している。
【００２１】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、セカンドレリーズがオンされてからｔA時間経過したタイミングで撮像素子１４による撮像を行う。クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、全ての動作を終了する。
【００２２】
次に、図５のタイミングチャートを参照して、本発明の第１の実施の形態に係るデジタルカメラによる連写モード（５コマ撮影）時の撮影動作について詳細に説明する。
【００２３】
以下の説明では、図１乃至図３の構成図を適宜参照する。尚、図５中、ｔBはファインダの像消失時間を示し、ｔI1は１コマ目と２コマ目の間隔、ｔI2は２コマ目と３コマ目の間隔、ｔI3は３コマ目と４コマ目の間隔、ｔI4は４コマ目と５コマ目の間隔（ｔI1＝ｔI2＝ｔI3＝ｔI4＝2.0msec）、ｔ1は１コマ撮影までのレリーズタイムラグ、ｔ2は２コマ撮影までのレリーズタイムラグ、ｔ3は３コマ撮影までのレリーズタイムラグ（標準のレリーズタイムラグに相当）、ｔ4は４コマ撮影までのレリーズタイムラグ、ｔ5は５コマ撮影までのレリーズタイムラグ、をそれぞれ意味している。
【００２４】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3，ｔ4，ｔ5をもって連続５回の撮像を撮像素子１４により行う。即ち、制御回路４０は連写モード時においては、通常撮影モード時の基本タイミングで１回、基本タイミングの前後、所定の間隔ｔI2，ｔI3のタイミングで２回、基本タイミングの前後、所定の間隔ｔI1＋ｔI2，ｔI3＋ｔI4のタイミングで２回の計５回の撮影を行うように制御する。
【００２５】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、５００コマ／sec程度の連写が可能な素子シャッタ付きのイメージャを採用する。
【００２６】
以下、図６のフローチャートを参照して、本発明の第１の実施の形態に係るデジタルカメラによる撮影動作を更に詳細に説明する。ここでは、図１乃至図３を適宜参照する。
【００２７】
シャッタ釦２１が半押しされてファーストレリーズ（以下、１Ｒと略記する）がオンされると（ステップＳ１）、マルチ測距ユニット１２が撮影画面内の複数ポイント(図９を参照)を測距し、最も近距離にある被写体に焦点合わせを行うマルチＡＦ動作を行い、また測光ユニット９による測光を行い（ステップＳ２，Ｓ３）、被写体輝度が十分であるか（所定の閾値以下であるか否か）を判断し（ステップＳ４）、十分でない場合にはストロボ発光量演算を行い（ステップＳ５）、ストロボ発光のためのフラグＦを１にセットし（ステップＳ６）、ステップＳ７に移行してシャッタ釦２１の全押しによるセカンドレリーズ（以下、２Ｒと略記する）がオンされるまでステップＳ１乃至Ｓ７の処理を繰り返す。
【００２８】
２Ｒがオンされると（ステップＳ７）、クイックリターンミラー５をアップすると共にレンズの絞込みを行い（ステップＳ８）、連写モード（複数駒撮影モード）であるか否かを判断する（ステップＳ９）。ここで、連写モードである場合には、シャッタユニット４４に含まれるシャッタ先幕マグネットをオフし（ステップＳ１０）、撮像素子１４をリセットし（ステップＳ１１）、上記ストロボ発光に係るフラグＦの状態を検出し（ステップＳ１２）、Ｆ＝１である場合にはストロボ発光部５８によるストロボ発光を行う（ステップＳ１３）。一方、Ｆ＝０である場合には、撮像データを読み出して、メモリ４７に一時的に記憶させ（ステップＳ１４）、露出設定回数だけ上記ステップＳ１１乃至Ｓ１４の処理を繰り返し、複数駒撮像を実行し（ステップＳ１５）、設定回数だけ処理が終了すると、シャッタ後幕マグネットをオフし（ステップＳ１６）、ステップＳ２３以降の処理に進む。
【００２９】
一方、連写モードではない場合には（ステップＳ９）、シャッタユニット４４に含まれるシャッタ先幕マグネットをオフし（ステップＳ１８）、撮像素子１４をリセットし（ステップＳ１９）、上記ストロボ発光に係るフラグＦの状態を検出し（ステップＳ２０）、Ｆ＝１である場合にはストロボ発光部５８によるストロボ発光を行う（ステップＳ１３）。このストロボ発光の後、或いは上記ステップＳ２０でＦ＝０である場合には、撮像データを読み出して、メモリ４７に一時的に記憶させ（ステップＳ２１）、シャッタ後幕マグネットをオフし（ステップＳ２２）、ステップＳ２３以降の処理に進む。こうして、クイックリターンミラー５をダウンすると共にレンズ絞り開放とし（ステップＳ２３）、メカチャージを行い（ステップＳ２４）、ストロボ発光に係るフラグＦを０とし（ステップＳ２５）、メモリ４７に一時記憶された撮影データを記録メディア４９に保存し、本動作を終了する。
【００３０】
このように、第１の本実施の形態によれば、被写体光束を上記観察光学系に導く第１の位置と、上記被写体光束の光路中から退避して上記被写体光束を撮像素子に導くため第２の位置に可動するクイックリターンミラー５と、このクイックリターンミラー５が上記第２の位置にある所定の期間に上記撮像素子１４を複数回の撮像を行なうように制御する制御回路４０を備えたデジタルカメラが提供される。このクイックリターンミラー５が上記第２の位置にある所定の期間に上記撮像素子１４に対し１回の撮像を行なわせる１駒撮影モードと、上記所定の期間に上記撮像素子に対し複数回の撮像を行なわせる複数駒撮影モードとのどちらかを選択して撮像を行なわせることも可能である。即ち、本実施の形態に係るデジタルカメラによれば、素子シャッタを搭載した一眼レフカメラにおいて、全撮影シーケンスの時間は同等のままで、１回のクイックリターンミラーの駆動シーケンスにおける撮影枚数を１コマと複数コマに選択的に切換可能とすることができるので、複数コマを選択すれば、早く動く被写体等を的確に捉えた撮影が可能となる。
【００３１】
次に図７のフローチャートを参照して、上記露光動作により記録メディア４９に保存された撮影データの再生動作について詳細に説明する。
【００３２】
十字キー２８が操作されて最新画像（つまり、最後に撮影した画像）が選択されると（ステップＳ３０）、当該画像が連写モード下で撮影された画像であるか否かを制御回路４０は判断する（ステップＳ４０）。ここで、連写モード下で撮影された画像である場合には後述するサブルーチン「連写画像表示」を実行する（ステップＳ３２）。
【００３３】
一方、連写モード下で撮影された画像ではない場合、つまり通常モード下で撮影されたものである場合には単写画像表示を行う（ステップＳ３３）。
【００３４】
続いて、再生モードを終了するか否かを制御回路４０が判断する（ステップＳ３４）。
【００３５】
ここで、再生モードを終了すると判断した場合には十字キー２８の操作が有るか否かを判断し（ステップＳ３６）、当該十字キー２８の操作がある場合には当該操作に対応した画像を選択し上記ステップＳ３１に戻り（ステップＳ３７）、十字キー２８の操作がない場合には上記ステップＳ３４に戻る。
【００３６】
ここで、図８のフローチャートを参照して、上記ステップＳ３２で実行されるサブルーチン「連写画像表示」の動作について詳細に説明する。ここでは、図９、図１０（ａ）乃至（ｄ）の画面遷移に関する概念図を適宜参照しつつ説明を進める。
【００３７】
本サブルーチンに入ると、先ず図１０（ｂ）に示すように連写モード下で撮影された複数の連写画像を一括表示する（ステップＳ４０）。続いて、十字キー２８の操作により拡大指示がなされているかどうかを制御回路４０が判断する（ステップＳ４１）。
【００３８】
ここで、拡大指示がなされたと判断した場合には、連写画像の全てについて連写画像の１枚目における合焦ポイント周辺を拡大する（ステップＳ４２）。尚、この例では、図１０（ａ）中、破線で示した領域Ａ（即ち、図９の撮影画面中の測距点ｃ）に連写画像１枚目の合焦点ポイントが設定されているものとする。そして、図１０（ｃ）に示すように連写画像の全てについて同じ領域を拡大表示する（ステップＳ４０）。そして、十字キー２８が再び操作されて拡大指示がなされると（ステップＳ４１）、再び連写画像の全てについてその領域を更に拡大して、この拡大画像を図１０（ｄ）に示すように、連写画像の全てについて表示する（ステップＳ４０）。
【００３９】
こうして、以上の動作を繰り返し、拡大指示がなされない場合には、更なる十字キー２８の操作がなければ上記ステップＳ４１に戻り上記動作を繰り返し、別の操作、例えば画像の選択等が十字キー２８により指示されると、ステップＳ３７にリターンし、十字キー２８操作に対応した画像選択を行うことになる。
【００４０】
次に図１１のフローチャートを参照して、上記ステップＳ３２で実行されるサブルーチン「連写画像表示」の改良例の動作について詳細に説明する。ここでは、図１２、図１３（ａ），（ｂ）の画面遷移に関する概念図を適宜参照しつつ説明を進める。
【００４１】
この動作に入ると、連写画像の中の選択画像を表示する（ステップＳ５０）。このとき図１２（ａ）に示されるように、カーソルＢを併せて表示する（ステップＳ５１）。このカーソルは十字キー２８の操作に応じて移動可能であり（ステップＳ５２，５７）、確定ボタン２９により確定指示がなされたかどうかを制御回路４０が判断し（ステップＳ５３）、当該確定指示がなされるまで上記ステップＳ５２に戻り、上記動作を繰り返す。
【００４２】
そして、制御回路４０は、確定指示がなされたものと判断した場合には（ステップＳ５３）、図１３（ａ）に示すように連写モード下で撮影された複数の連写画像をモニタ１６に一括表示する（ステップＳ５４）。続いて、十字キー２８の操作により拡大指示がなされているかどうかを制御回路４０が判断する（ステップＳ５５）。
【００４３】
ここで、拡大指示がなされたと判断した場合には、連写画像の全てについて上記カーソル位置を中心位置として拡大する（ステップＳ５６）。この拡大画像を図１３（ｂ）に示すように連写画像の全てについて表示する（ステップＳ５４）。そして、十字キー２８が再び操作されて拡大指示がなされると（ステップＳ５５）、再び連写画像の全てについて選択ポイント周辺を更に拡大して（ステップＳ５６）、この拡大画像を、連写画像の全てについて表示する（ステップＳ５４）。こうして、以上の動作を繰り返し、拡大指示がなされない場合には、更なる十字キー２８の操作がなければ上記ステップＳ５４に戻り上記動作を繰り返し、別の操作、例えば画像の選択等が十字キー２８により指示されると、ステップＳ３７にリターンし、十字キー２８操作に対応した画像選択を行うことになる。
【００４４】
このように第１の実施の形態に係るデジタルカメラによれば、連写モード下で撮影された複数の撮影駒を同時に一括表示する場合において、拡大を所望された場合には、代表画像（例えば、連写画像の１枚目）の合焦位置、または選択指示された位置を中心に全撮影駒を拡大し、インデックス表示することができるので、ベストモードの探索には最適である。更に、代表画像の中の拡大所望位置をカーソル操作により設定し、当該設定位置を中心とした拡大処理、一括表示も可能であり、ベストモードの探索に最適である。
【００４５】
(第２の実施の形態)
第２の実施の形態では、マルチインデックス表示、つまり連写モード下で撮影された複数枚の連写画像を一括表示し、更にそれらを拡大表示する際に、被写体移動に追従した各画像毎の合焦ポイントを中心として各画像を拡大することを特徴とするものである。基本的な構成については第１の実施の形態（図１乃至図３）と同様であるので、ここでは第２の実施の形態に係るデジタルカメラによる特徴的な動作を説明する。
【００４６】
図１４のフローチャートを参照して、本発明の第２の実施の形態に係るデジタルカメラによる撮像動作を詳細に説明する。ここでは、図１乃至図３の構成図を適宜参照する。
【００４７】
撮像モードにおいて撮像動作を開始すると、先ず制御回路４０は、測光回路４６を駆動制御して測光ユニット９による測光を行い、露光量を演算し（ステップＳ１０１）、マルチ測距回路４５を駆動制御してマルチ測距ユニット１２による測距を行い、デフォーカス量を演算してレンズ駆動回路３１を駆動制御してレンズモータユニット３０により撮影レンズ４に含まれるズームレンズを駆動する（ステップＳ１０２）。続いて、シャッタ釦２１の半押しにより第１レリーズがオンされ（ステップＳ１０４）、更にシャッタ釦２１の全押しで第２レリーズがオンされると（ステップＳ１０３）、クリックリターンミラー５をアップし（ステップＳ１０５）、不図示の絞りを絞り込み（ステップＳ１０６）、撮像素子１４による撮像を開始する（ステップＳ１０７）。そして、フォーカルプレーンシャッタ１３を開閉し（ステップＳ１０８）、撮像素子１４による撮像を停止し（ステップＳ１０９）、画像処理を行い（ステップＳ１１０）、メモリ４７に撮像データを格納する（ステップＳ１１１）。続いて、不図示の絞りを開放し（ステップＳ１１２）、クリックリターンミラー５をダウンし（ステップＳ１１３）、連写モードに設定されているか否かを判断する（ステップＳ１１４）。
【００４８】
ここで、連写モードに設定されていないものと判断した場合には、画像ファイルを生成し（単写情報等付与）（ステップＳ１１５）、記録回路４８を介してメモリカード等の記録メディア４９に当該画像ファイルを記録する（ステップＳ１１６）。そして、撮影者の指がシャッタ釦２１から離れることを、第１レリーズのオン／オフ状態に基づいて判断し、離れたことを検知すると（ステップＳ１１７）、本動作を終了する。
【００４９】
一方、上記ステップＳ１１４において、連写モードに設定されている場合には第２レリーズがオンされていない場合には（ステップＳ１１８）、画像ファイルを生成し（連写情報等付与）（ステップＳ１１９）、上記ステップＳ１１６に進み、前述の処理を行う。
【００５０】
これに対して、第２レリーズがオンされている場合には（ステップＳ１１８）、再び制御回路４０は、測光回路４６を駆動制御して測光ユニット９による測光を行い、露光量を演算し（ステップＳ１２０）、制御回路４０はマルチ測距回路４５を駆動制御してマルチ測距ユニット１２による測距を行い、デフォーカス量を演算してレンズ駆動回路３１を駆動制御してレンズモータユニット３０により撮影レンズ４に含まれるズームレンズを駆動し（ステップＳ１２１）、上記ステップＳ１０５に戻り上記動作を繰り返す。
【００５１】
このように、第２の実施の形態に係るデジタルカメラによれば、連写モードに設定されている場合において、各撮影の度に測光及び露光量演算、測距及びレンズ駆動を行いつつ撮像動作を行うので、先に図１０で説明したような連写モード下で撮影された複数枚の画像の一括表示を行い、更に拡大表示を行うに際しても、各撮影駒における合焦位置を中心とした拡大を一度に行うことが可能となる。
【００５２】
以上、本発明の第１及び第２の実施の形態について説明したが、本発明はこれに限定されることなく、その趣旨を逸脱しない範囲で種々の改良・変更が可能であることは勿論である。例えば、前述したようなカーソルにより連写モード下の１枚目の画像、及び最終枚目の画像の中で拡大中心所望位置を設定し、その間の画像については両位置情報から拡大中心位置を自動的に決定し、全てを一括して拡大表示するようにすれば、移動被写体を連写モードで撮影したような場合に当該主要被写体を各画像の中で中心位置として拡大表示することが可能となるので、ベストモードの決定に好適である。
【図面の簡単な説明】
【００５３】
【図１】（ａ）は本発明の第１の実施の形態に係るデジタルカメラの正面図、（ｂ）はデジタルカメラの側面図である。
【図２】図１のデジタルカメラを背面側より見た外観斜視図である。
【図３】本発明の第１の実施の形態に於けるデジタルカメラの電気系のシステム構成を示すブロック図である。
【図４】本発明の第１の実施の形態に係るデジタルカメラによる基本的な撮像動作について詳細に説明するタイムチャートである。
【図５】本発明の第１の実施の形態に係るデジタルカメラによる連写モード（５コマ撮影）時の撮影動作について詳細に説明するタイムチャートである。
【図６】本発明の第１の実施の形態に係るデジタルカメラによる撮影動作を更に詳細に説明するフローチャートである。
【図７】図６の露光動作により記録メディア４９に保存された撮影データの再生動作について詳細に説明する。
【図８】図７のステップＳ３２で実行されるサブルーチン「連写画像表示」の動作について詳細に説明する。
【図９】撮影画面及びマルチ測距点ａ乃至ｅの関係を示す概念図である。
【図１０】（ａ）乃至（ｄ）は撮影画面表示の概念図である。
【図１１】図７のステップＳ３２で実行されるサブルーチン「連写画像表示」の改良例の動作について詳細に説明する。
【図１２】（ａ）及び（ｂ）は、撮影画像表示の中に拡大中心位置を設定するカーソルを表示した様子を示す図である。
【図１３】（ａ）及び（ｂ）は撮影画面表示の概念図である。
【図１４】本発明の第２の実施の形態に係るデジタルカメラによる撮像動作を詳細に説明するフローチャートである。
【符号の説明】
【００５４】
１・・・デジタルカメラ、２・・・ボディユニット、３・・・レンズユニット、４・・・撮影レンズ、５・・・クイックリターンミラー、６・・・ファインダスクリーン、７・・・ペンタプリズム、８・・・接眼光学系、９・・・測光ユニット、１０・・・バッテリ、１１・・・測距用ミラー、１２・・・マルチ測距ユニット、１３・・・フォーカルプレーンシャッタ、１４・・・撮像素子、１５・・・メイン回路基板、１６・・・モニタ。
【図１】
2006295242.tif 000003
【図２】
2006295242.tif 000004
【図３】
2006295242.tif 000005
【図４】
2006295242.tif 000006
【図５】
2006295242.tif 000007
【図６】
2006295242.tif 000008
【図７】
2006295242.tif 000009
【図８】
2006295242.tif 000010
【図９】
2006295242.tif 000011
【図１０】
2006295242.tif 000012
【図１１】
2006295242.tif 000013
【図１２】
2006295242.tif 000014
【図１３】
2006295242.tif 000015
【図１４】
2006295242.tif 000016